(57)【特許請求の範囲】
【請求項１】
板紙で形成され、上部が開放された下箱部と下部が開放されて前記下箱部を覆う上箱部とが上下方向に延びる帯状の連結部により連結され、前記下箱部は、閉塞された底面と、該底面の周縁から起立する下部周壁とを備え、前記上箱部は、閉塞された天面と、該天面の周縁から垂下して前記下部周壁の外側に重なる上部周壁とを備え、前記連結部は、一端が前記下部周壁の上縁の一部に連結されていると共に他端が前記上部周壁の下縁の一部に連結され、互いに重なり合った前記下部周壁と前記上部周壁との間に前記連結部が収容されて被包装物を包装した状態となり、前記連結部を前記下箱部から切り離すことにより前記上箱部が分離して前記下箱部内の被包装物が露出するように構成された包装箱において、
前記下箱部に前記下部周壁の一部を切り取ることにより前記連結部を切り離す切離可能部を設け、
前記下箱部と前記上箱部とが前記連結部により連結された状態で前記上箱部が前記下箱部を覆っているときに前記上部周壁の下方から露出する露出部を前記下部周壁に設け、
前記露出部に、前記切離可能部の切離を開始する切離開始部を設け、
前記切離可能部のうち前記切離開始部のみを露出させ、
前記切離開始部は、前記上部周壁の下端縁に沿って延びる折目線を介して、前記切離可能部の当該切離開始部以外の他の領域と連設されるとともに、該折目線に沿って折り曲げることで、前記他の領域の内側面に重合可能であることを特徴とする包装箱。
【請求項２】
請求項１記載の包装箱であって、
前記上部周壁の４隅には、前記上部周壁の下端縁から上方に延びる切込みが設けられていることを特徴とする包装箱。
【発明の詳細な説明】
【技術分野】
【０００１】
本発明は、包装箱に関し、詳しくは、上箱部が下箱部を覆うことにより被包装物を包装した状態となり、上箱部と下箱部とを連結している連結部を破断することにより上箱部が下箱部から分離して下箱部内の被包装物が露出する包装箱に関する。
【背景技術】
【０００２】
従来、上部が開放された下箱部と下部が開放されて前記下箱部を覆う上箱部とが上下方向に延びる帯状の連結部により連結され、前記下箱部は、閉塞された底面と、該底面の周縁から起立する下部周壁とを備え、前記上箱部は、閉塞された天面と、該天面の周縁から垂下して前記下部周壁の外側に重なる上部周壁とを備え、前記連結部は、一端が前記下部周壁の上縁の一部に連結されていると共に他端が前記上部周壁の下縁の一部に連結され、互いに重なり合った前記下部周壁と前記上部周壁との間に前記連結部が収容されて被包装物を包装した状態となり、前記連結部を前記下箱部から切り離すことにより前記上箱部が分離して前記下箱部内の被包装物が露出するように構成された包装箱が知られている（下記引用文献１参照）。
【０００３】
このものは、下箱部から上箱部を取り外すときに、下箱部から連結部を切り離すための切離可能部が、上箱部の上部周壁に設けられている。そして、上部周壁の切離可能部を外側に引き倒すことにより上箱部を下箱部から容易に取り外すことができるようになっている。
【先行技術文献】
【特許文献】
【０００４】
【特許文献１】特開２０１５−１３７１３４号公報
【発明の概要】
【発明が解決しようとする課題】
【０００５】
しかし、従来のように、下箱部から連結部を切り離すための切離可能部が上箱部の上部周壁に設けられていると、切離可能部が大きく露出して見栄えが悪いだけでなく、外部から他の物が接触したときに不用意に破れやすい不都合がある。
【０００６】
上記の点に鑑み、本発明は、下箱部から上箱部を容易に分離させることができるだけでなく、下箱部から上箱部を分離させるときに連結部を切り離すための切離可能部が不用意に破れ難く、更に、切離可能部を目立たずに設けることができる包装箱を提供することを目的とする。
【課題を解決するための手段】
【０００７】
かかる目的を達成するために、本発明は、板紙で形成され、上部が開放された下箱部と下部が開放されて前記下箱部を覆う上箱部とが上下方向に延びる帯状の連結部により連結され、前記下箱部は、閉塞された底面と、該底面の周縁から起立する下部周壁とを備え、前記上箱部は、閉塞された天面と、該天面の周縁から垂下して前記下部周壁の外側に重なる上部周壁とを備え、前記連結部は、一端が前記下部周壁の上縁の一部に連結されていると共に他端が前記上部周壁の下縁の一部に連結され、互いに重なり合った前記下部周壁と前記上部周壁との間に前記連結部が収容されて被包装物を包装した状態となり、前記連結部を前記下箱部から切り離すことにより前記上箱部が分離して前記下箱部内の被包装物が露出するように構成された包装箱において、前記下箱部に前記下部周壁の一部を切り取ることにより前記連結部を切り離す切離可能部を設け、前記下箱部と前記上箱部とが前記連結部により連結された状態で前記上箱部が前記下箱部を覆っているときに前記上部周壁の下方から露出する露出部を前記下部周壁に設け、前記露出部に、前記切離可能部の切離を開始する切離開始部を設け、前記切離可能部のうち前記切離開始部のみを露出させたことを特徴とする。
【０００８】
切離可能部が下部周壁に設けられ、切離開始部が下部周壁の露出部に設けられていることにより、切離可能部は殆ど目立たない。また、切離開始部以外の切離可能部は、下部周壁によって覆い隠される下部周壁に設けられているので、切離可能部の不用意な破れを防止することができる。そして、下箱部から上箱部を分離するときは、切離開始部に手指等を挿し込んで初期破断を行い、次いで、下部周壁から連結部を切離しながら上箱部を上方に持ち上げればよい。
【０００９】
以上のように、本発明によれば、下箱部から上箱部を容易に分離させることができるだけでなく、下箱部から上箱部を分離させるときに連結部を切り離すための切離可能部の不用意な破れが防止でき、更に、切離可能部を目立たずに設けることができる包装箱を提供することができる。
【図面の簡単な説明】
【００１０】
【図１】本発明の実施形態の包装箱を示す説明的斜視図。
【図２】本実施形態の包装箱の展開図。
【図３】下箱部から上箱部を分離させる際の説明的断面図。
【図４】分離させた下箱部と上箱部とを示す斜視図。
【発明を実施するための形態】
【００１１】
本発明の一実施形態を図面に基づいて説明する。図１に示すように、本実施形態の包装箱は、外観が直方体形状であり、上箱部１と下箱部２とからなる。
【００１２】
先ず、包装箱の構成を展開状態で説明する。図２に示すように、包装箱は一枚の板紙から形成される。板紙は、上箱部１を形成するための上部形成部３と下箱部２を形成するための下部形成部４とを備えている。上部形成部３と下部形成部４との間には間隙が形成されており、この間隙には一対の連結部５，５が設けられて上部形成部３と下部形成部４とを連結している。
【００１３】
上部形成部３は、一対の第１上部側壁６，６と一対の第２上部側壁７，７とを備えている。第１上部側壁６，６及び第２上部側壁７，７は、組立状態の包装箱においては上部周壁８（図１参照）を構成する。
【００１４】
各第１上部側壁６，６と各第２上部側壁７，７とは、折目線ａ，ｂ，ｃを介して交互に一列に連設されている。一方の第１上部側壁６の一側端には、折目線ｄを介して上部接着片９が連設されている。
【００１５】
第１上部側壁６，６の上縁には、夫々折目線ｅ，ｅを介して上部外フラップ１０，１０が連設され、第２上部側壁７，７の上縁には、夫々折目線ｆ，ｆを介して上部内フラップ１１，１１が連設されている。
【００１６】
各第１上部側壁６，６と各第２上部側壁７，７との境界の下端部分には切込み１２，１３，１４が形成されており、一方の第１上部側壁６の一側端の下端部分（上部接着片９の下方の端縁）と、他方の第２上部側壁７の他側端の下端部分との夫々には、組み立てた際に単一の切欠き状態となる一対の切欠き１５が形成されている。
【００１７】
後述するが、各切込み１２，１３，１４及び切欠き１５により、各第１上部側壁６，６の下端部に外曲げ許容部１６，１６が形成される。
【００１８】
下部形成部４は、一対の第１下部側壁１７，１７と一対の第２下部側壁１８，１８とを備えている。第１下部側壁１７，１７及び第２下部側壁１８，１８は、組立状態の包装箱においては下部周壁１９（図１参照）を構成する。
【００１９】
各第１下部側壁１７，１７と各第２下部側壁１８，１８とは、折目線ｇ，ｈ，ｉを介して交互に一列に連設されている。一方の第１下部側壁１７の一側端には、折目線ｊを介して下部接着片２０が連設されている。
【００２０】
第１下部側壁１７，１７の下縁には、夫々折目線ｋ，ｋを介して下部外フラップ２１，２１が連設され、第２下部側壁１８，１８の下縁には、夫々折目線ｍ，ｍを介して下部内フラップ２２，２２が連設されている。
【００２１】
連結部５，５は夫々、上端が折目線ｎ，ｎを介して第１上部側壁６，６の下縁に連設され、下端が折目線ｐ，ｐを介して第１下部側壁１７，１７の上縁に連設されている。
【００２２】
第１下部側壁１７，１７には、連結部５，５を第１下部側壁１７，１７から切離するための切離可能部２３，２３が、破断可能線ｑ，ｑにより形成されている。切離可能部２３，２３には、折目線ｒ，ｒを境界として下半部に半月形状の切離開始部２３ａ，２３ａが形成されている。
【００２３】
以上の構成による図２示の板紙は、図示しないが、次のように組み立てることで包装箱を形成する。先ず、連結部５，５を折目線ｎ，ｎ，ｐ，ｐに沿って折り曲げて反転させつつ、第１、第２上部側壁６，６，７，７（上部周壁８）の夫々の一部に第１、第２下部側壁１７，１７，１８，１８（下部周壁１９）の夫々の一部を重ね合わせる。次いで、第１、第２上部側壁６，６，７，７及び第１、第２下部側壁１７，１７，１８，１８を角筒状に形成し、一側端の接着片９，２０を他側端に接着する。これにより四角筒状の胴部が形成される。そして、下部内フラップ２２，２２を互いに向き合う方向に折り曲げ、下部外フラップ２１，２１を重合させて底面を形成する。そして、被包装物を胴部に投入し、上部内フラップ１１，１１を互いに向き合う方向に折り曲げ、上部外フラップ１０，１０を重合させて天面を形成する。
【００２４】
これにより、図１に示すように、上箱部１と下箱部２とからなる包装箱が形成される。この包装箱は、下箱部２の下部周壁１９の略下半部が、上箱部１の上部周壁８の下方から全周にわたって帯状に露出する露出部２４が形成される。
【００２５】
露出部２４は、第１下部側壁１７，１７に形成されている切離可能部２３，２３のうち、切離開始部２３ａ，２３ａのみを露出させている。
【００２６】
このように形成された包装箱は、次のようにして下箱部２から上箱部１を分離させることができる。
【００２７】
即ち、先ず、図３Ａに示すように、切離開始部２３ａ，２３ａを破断して手指等を胴部に挿し込む。次いで、図３Ｂに示すように、第１下部側壁１７，１７の内側から外側に向かって切離可能部２３，２３を押し出すようにして連結部５，５を切り離す。このとき、外曲げ許容部１６，１６によって、第１上部側壁６，６を容易に撓ませることができるので、切離可能部２３，２３の押し出しが容易に行われる。
【００２８】
そして、図３Ｃに示すように、第１上部側壁６，６を持ち上げることにより、図４に示すように、下箱部２から上箱部１を分離させることができる。このようにして上箱部１を分離することにより下箱部２上の被包装物を容易に露出させることができ、被包装物の展示及び取出し等が好適に行える。
【００２９】
以上のように、本実施形態の包装箱は、図１に示すように、切離開始部２３ａ，２３ａ以外の切離可能部２３，２３が露出しないので、切離可能部２３，２３が目立たず包装箱の外観低下が生じない。また、切離可能部２３，２３は、第１下部側壁１７，１７に設けて、切離開始部２３ａ，２３ａ以外の部分が第１上部側壁６，６に覆われるので、切離可能部２３，２３の不用意な破断を防止することができる。
【符号の説明】
【００３０】
１…上箱部、２…下箱部、５…連結部、８…上部周壁、１９…下部周壁、２３…切離可能部、２３ａ…切離開始部、２４…露出部。
【図１】
0006780951.tif 000002
【図２】
0006780951.tif 000003
【図３】
0006780951.tif 000004
【図４】
0006780951.tif 000005